(57)【要約】【課題】ＩＣタグを医療従事者のみに使用させ、医療従事者と患者と見舞い客とを正確に区別してナースコール子機を動作させるようにする。【解決手段】入退室検知装置３０が入室を検知した場合に、識別情報読取装置４０はＩＣタグ２０から識別情報を読み取り、読み取り判定装置５０は識別情報が病室への入室を許可されたものであるかを判定する。識別情報が入室を許可されたものであるときには、ナースコール子機１の動作を停止する。一方、識別情報読取装置４０がＩＣタグ２０から識別情報を読み取れなかったり、読み取った識別情報が病室への入室を許可されたものでなかったりしたときには、ナースコール子機１の動作を停止し、病室へ入室した者が居ることを提示部１４にて提示する。また、入退室検知装置３０が入室を検知せずに、センサ３が検知の動作を行った場合には、ナースコール親機１０の報知部１３により呼び出しや警告を報知するようにしている。【選択図】図１
2010075582.tif 000002
【特許請求の範囲】
【請求項１】
所定のセンサを備え、前記センサが所定の状態を検知したときに呼出信号を生成して出力するナースコール子機と、
医療従事者によって所持され、識別情報を記録した識別装置と、
前記ナースコール子機が設置された病室への入室および退室を検知する入退室検知装置と、
前記入退室検知部が前記入室または前記退室を検知した際に、前記識別装置から前記識別情報を読み取る識別情報読取装置と、
前記識別情報読取装置が前記識別情報を読み取ることができたか否かを判定するとともに、前記識別情報読取装置が読み取った前記識別情報が前記病室への入室を許可された識別情報であるか否かを判定する読み取り判定装置と、
前記入退室検知装置が前記入室を検知した場合に、前記識別情報読取装置が前記識別情報を読み取ることができなかったと前記読み取り判定装置にて判断したとき、または、前記識別情報読取装置が読み取った前記識別情報が前記病室への入室を許可された識別情報ではないと前記読み取り判定装置にて判断したときに、前記ナースコール子機の動作を停止させ、前記病室に入室した者が居ることを示す提示信号を生成して出力するとともに、前記識別情報読取装置が読み取った前記識別情報が前記病室への入室を許可された識別情報であると前記読み取り判定装置にて判断したときに、前記ナースコール子機の動作を停止させる入室時制御装置と、
前記ナースコール子機の動作が停止している状態で、前記入退室検知装置が退室を検知した場合に、前記ナースコール子機を動作させる退室時制御装置と、
前記呼出信号および前記提示信号を入力し、前記呼出信号を入力した場合に呼び出しや警告を報知するとともに、前記提示信号を入力した場合に前記病室に入室している者が居ることを提示するナースコール親機と、
を備えたことを特徴とするナースコールシステム。
【請求項２】
所定のセンサを備え、前記センサが所定の状態を検知したときに呼出信号を生成して出力するナースコール子機と、
医療従事者によって所持され、識別情報を記録した識別装置と、
前記ナースコール子機が設置された病室への入室および退室を検知する入退室検知装置と、
前記入退室検知部が前記入室または前記退室を検知した際に、前記識別装置から前記識別情報を読み取る識別情報読取装置と、
前記識別情報読取装置が前記識別情報を読み取ることができたか否かを判定するとともに、前記識別情報読取装置が読み取った前記識別情報が前記病室への入室を許可された識別情報であるか否かを判定する読み取り判定装置と、
前記呼出信号を入力し、前記呼出信号を入力した場合に呼び出しや警告を報知する報知部と、
前記入退室検知装置が前記入室を検知した場合に、前記識別情報読取装置が前記識別情報を読み取ることができなかったと前記読み取り判定装置にて判断したとき、または、前記識別情報読取装置が読み取った前記識別情報が前記病室への入室を許可された識別情報ではないと前記読み取り判定装置にて判断したときに、前記報知部の動作を停止させ、前記病室に入室した者が居ることを示す提示信号を生成して出力するとともに、前記識別情報読取装置が読み取った前記識別情報が前記病室への入室を許可された識別情報であると前記読み取り判定装置にて判断したときに、前記報知部の動作を停止させる入室時制御装置と、
前記報知部の動作が停止している状態で、前記入退室検知装置が退室を検知した場合に、前記報知部を動作させる退室時制御装置と、
前記提示信号を入力し、前記提示信号を入力した場合に前記病室に入室している者が居ることを提示する提示部と、
を備えたことを特徴とするナースコールシステム。
【発明の詳細な説明】
【技術分野】
【０００１】
本発明は、ナースコールシステムに関し、特に、所定のセンサを備えたナースコール子機からナースコール親機に対する誤報を防止するように成されたナースコールシステムに用いて好適なものである。
【背景技術】
【０００２】
一般的に、病院や介護施設などでは、ナースコールシステムが用いられている。ナースコールシステムは、病院の患者が医師や看護師などのサポートを必要とする際、または介護施設の被介護者が介護師などのサポートを必要とする際に、患者や被介護者（以下、まとめて患者と記載する）が呼出ボタン等を押下することによって医者、看護師または介護師（以下、まとめて医療従事者と記載する）を呼び出すことができるように成されたシステムである。
【０００３】
多くのナースコールシステムは、ベッドサイドやトイレ、浴室などに設置されるナースコール子機と、ナースセンタに設置されるナースコール親機と、病室や介護室などの各部屋の入口付近に設置される廊下灯と、通話やデータの送受信に関する制御を行う制御機とを備えて構成されている。さらに、医療従事者が携帯するＰＨＳ（Personal Handyphone System）端末とＰＢＸ（Private Branch Exchange：電話交換機）とを組み合わせたナースコールシステムも提案されている。
【０００４】
ナースコール子機には、呼出ボタンの押下によって医療従事者の呼び出しを行うハンド形子機や壁埋込形子機がある。また、呼出ボタンの代わりに特殊なセンサを備えたナースコール子機も提供されている。例えば、先端に設けた接触センサに触れることで呼び出しを行うことができるように成されたナースコール子機が存在する。また、音圧センサを備え、息を吹きかけたり声を出したりすることで呼び出しを行うことができるように成されたナースコール子機も存在する。さらに、光センサを備え、患者の手や動かせる部位で光を遮ることで呼び出しを行うことができるように成されたナースコール子機も存在する（例えば、特許文献１など）。
【特許文献１】特開２００５−１５９４５９号公報
【０００５】
また、重量センサを備えたマットをベッド下の床に敷き、このマットに患者が乗ったことを検知することで患者の徘徊（またはベッドからの患者の落下）を示す警報を出力するように成されたナースコール子機も存在する（例えば、特許文献２など）。
【特許文献２】特開２００５−３４２２６号公報
【０００６】
しかしながら、前述した特許文献１、２に記載のナースコール子機の場合、病室に入室して処置を行う医療従事者が接触センサに接触したり、医療従事者が発する声が音圧センサに検出されたり、医療従事者の手が光センサの光を遮ったりしたときでも呼び出しを行ってしまう。また、重量センサを備えたナースコール子機の場合、医療従事者がマットに乗ったときでも、患者が徘徊したとして警報を出力してしまう。
【０００７】
このような不都合を回避するために、医療従事者が処置を行う際に操作部を操作することで、ナースコール子機の機能を一時的に停止させる技術が知られている（例えば、特許文献３など）。また、ナースコールシステムに関する技術ではないが、登録された住人やペットにＩＣタグを持たせ、ＩＣタグから特定のＩＤ番号を受信した場合には警報を発しないようにしたセキュリティシステムも知られている（例えば、特許文献４など）。
【特許文献３】特開２００７−２８２８７８号公報
【特許文献４】特開２００５−２８４３７０号公報
【発明の開示】
【発明が解決しようとする課題】
【０００８】
特許文献３に記載の技術では、ナースコール子機の機能を一時的に停止させるための操作部を設置する場所によっては、患者自身によって操作されてしまったり見舞い客や他の病室の患者などによって操作されてしまったりする可能性がある。ここで、見舞い客による誤報も回避しなければならないため、見舞い客により操作部が適正に操作されてナースコール子機の機能が一時的に停止することは問題無いが、患者自身や他の病室の患者によって操作部が不正に操作されてナースコール子機の機能が一時的に停止することは問題であった。
【０００９】
一方、特許文献４に記載の技術をナースコールシステムに適用すると、登録されたＩＣタグを持つ医療従事者が病室に入った際にナースコール子機の機能を停止することが考えられる。しかしながら、この技術では、病室への入室が許可された見舞い客などが病室に入る際にも、ナースコール子機による誤報を回避するためにＩＣタグを渡さなければならず、ＩＣタグの管理が面倒になってしまうという問題があった。
【００１０】
本発明は、このような問題を解決するために成されたものであり、呼出ボタンの代わりに特殊なセンサを用いたナースコール子機に関して、ＩＣタグを医療従事者のみに手渡すようにするとともに、医療従事者と患者自身と見舞い客などとを正確に区別してナースコール子機を動作させることを目的とする。
【課題を解決するための手段】
【００１１】
上記した課題を解決するために、本発明では、病室への入室を検知した場合に、医療従事者が持つＩＣタグから識別情報を読み取り、その識別情報が病室への入室を許可されたものであるときには、呼び出しや警告の報知を停止するようにしている。そして、病室からの退室を検知した場合に、呼び出しや警告の報知を再び行うことができるようにしている。一方、病室への入室を検知した場合に、ＩＣタグから識別情報を読み取れなかったり、読み取った識別情報が病室への入室を許可されたものではなかったりしたときには、呼び出しや警告の報知を停止するとともに病室へ入室した者が居ることを提示するようにしている。そして、病室からの退室を検知した場合に、呼び出しや警告の報知を再び行うことができるようにしている。また、病室への入室を検知せずにナースコール子機が検知の動作を行った場合には、呼び出しや警告を報知するようにしている。
【発明の効果】
【００１２】
上記のように構成した本発明によれば、病室内で処置を行う医療従事者や見舞い客などが入室した場合には、ナースコール子機の動作が停止して呼び出しや警告の報知が行われなくなるので、医療従事者や見舞い客がナースコール子機のセンサを誤って動作させることがなくなり、誤報を防止することができる。また、ＩＣタグを持っていない見舞い客などが入室した場合には、その旨が提示されるため、医療従事者の入室と見舞い客などの入室とが正確に区別される。また、入室が検知されずにナースコール子機のセンサが動作した場合には、患者自身がナースコール子機のセンサを動作させたと判断されるので、呼び出しや警告の報知が行われる。従って、医療従事者と患者自身と見舞い客などとを正確に区別してナースコール子機を動作させることができる。また、医療従事者のみにＩＣタグを持たせているので、ＩＣタグの管理を容易に行うことができる。
【発明を実施するための最良の形態】
【００１３】
以下、本発明の一実施形態を図面に基づいて説明する。図１は、本実施形態によるナースコールシステムの構成例を示すブロック図である。なお、ここでは病院に設置される看護支援用のナースコールシステムを例にとって説明するが、本実施形態のナースコールシステムは、病院に設置されるものに限定されない。例えば、介護施設等に設置される場合にも適用可能である。
【００１４】
図１に示すように、本実施形態によるナースコールシステムは、各病室の各ベッドサイドに設置されるナースコール子機１、ナースセンタに設置されるナースコール親機１０、医療従事者により携行されるＩＣタグ（特許請求の範囲の識別装置に該当する）２０、各病室の出入口近傍に設置される入退室検知装置３０、識別情報読取部４０、読み取り判定装置５０、入室時制御装置６０ａと退室時制御装置６０ｂとから成る入退室制御装置６０を備えて構成されている。
【００１５】
ここで、ナースコール子機１とナースコール親機１０との間は、それぞれ通信線路を介して接続される。また、ナースコール子機１とナースコール親機１０との間には、ナースコール子機１からの呼び出しを表示したり、病室内の患者の氏名などを表示したりする図示しない廊下灯が接続されている。また、ナースコール子機１とナースコール親機１０との間には、ナースコール子機１およびナースコール親機１０間の通話やデータの送受信に関する制御を行う図示しない制御機が接続されている。
【００１６】
ナースコール子機１は、子機制御部２、センサ３、子機インターフェース４を備えて構成されている。子機制御部２は、ナースコール子機１の各構成要素を後述するように制御する。センサ３は、患者の動作などを検知して検知信号を出力するものであり、患者の手指などの接触を検知する接触センサや、患者が吹きかけた息や患者が発した声を検知する音圧センサ、患者の手や動かせる部位で光が遮られることを検知する光センサ、ベッドの下に敷かれ患者などが乗ったことを検知するマットセンサなどのセンサのうち少なくとも一つにより構成される。ここで、子機制御部２は、センサ３から検知信号を入力すると呼出信号を生成する。
【００１７】
子機インターフェース４は、ナースコール子機１とナースコール親機１０とを通信可能に接続するためのものであり、子機制御部２により生成された呼出信号をナースコール親機１０に出力する。また、子機インターフェース４は、後述する入退室制御装置６０に接続されており、入退室制御装置６０から出力される制御信号を入力する。ここで、制御信号は、ナースコール子機１を動作させるか停止させるかを制御するためのものである。子機制御部２は、子機インターフェース４が入力した制御信号に基づいてナースコール子機１を動作させるか停止させるかを制御する。また、制御信号は、入室した者の属性を示す属性情報を含んでいる。属性情報としては、入室を許可された医療従事者であることを示す属性と、それ以外の者であることを示す属性とがある。
【００１８】
ナースコール親機１０は、親機制御部１１、親機インターフェース１２、報知部１３、提示部１４、識別情報記憶部１５を備えて構成されている。親機制御部１１は、ナースコール親機１０の各構成要素を後述するように制御する。親機インターフェース１２は、ナースコール親機１０とナースコール子機１とを通信可能に接続するためのものであり、ナースコール子機１から出力された呼出信号を入力する。また、親機インターフェース１２は、後述する入退室制御装置６０に接続されており、入退室制御装置６０から提示信号を入力する。また、親機インターフェース１２は、後述する読み取り判定装置５０に接続されており、読み取り判定装置５０から出力される識別情報および読み取り判定装置５０が設置された病室を示す病室識別情報を入力する。
【００１９】
報知部１３は、ナースコール子機１からの呼び出しや警告を報知するためのものであり、発光ダイオードなどの発光装置やスピーカなどの音声出力装置により構成される。ここで、親機用制御部１１は、親機用インターフェース１２が呼出信号を入力すると、報知部１３を動作させる。また、呼出信号には、ナースコール子機１を特定するための子機識別情報が含まれているため、親機用制御部１１は、呼び出しを行った患者を特定することができる。
【００２０】
提示部１４は、ナースコール子機１が設置された病室に入室した者が居ること（本実施形態では、特に医療従事者以外の者が病室に入室したことを示す）を提示するためのものであり、発光ダイオードなどの発光装置やスピーカなどの音声出力装置により構成される。ここで、親機用制御部１１は、親機用インターフェース１２が後述する提示信号を入力すると、提示部１４を動作させる。また、提示信号には、ナースコール子機１が設置された病室を特定するための病室識別情報が含まれているため、親機用制御部１１は、入室した者が居る病室を特定することができる。また、提示部１４の発光装置による発光は、報知部１３の発光装置による発光と異なるものである。また、提示部１４の音声出力装置による音声は、報知部１３の音声出力装置による音声と異なるものである。これにより、報知部１３による報知と提示部１４による提示とが明確に区別される。
【００２１】
識別情報記憶部１５は、後述するＩＣタグ２０に記録された識別情報と、その識別情報のＩＣタグを携行する医療従事者を識別するための医療従事者識別情報と、その医療従事者識別情報により特定される医療従事者が入室を許可された病室の病室識別情報とを関連付けて記憶する。ここで、本実施形態のように、医療従事者が全ての病室への入室を許可されている場合には、全ての医療従事者識別情報が全ての病室識別情報に関連付けられて識別情報記憶部１５に記憶される。
【００２２】
ＩＣタグ２０は、医療従事者により携行されており、識別情報が読み取り可能に記録されている。ここで、医療従事者がどのＩＣタグ２０を携行するかは、識別情報記憶部１５における識別情報と医療従事者識別情報との関連付けにより決まる。なお、本実施形態では、識別装置としてＩＣタグ２０を使用しているが、これに限定されない。例えば、識別情報が記録されたバーコードやその他のコード、識別情報を無線送信することができる無線端末など、識別情報が読み取り可能に記録されていれば、どのような形状、構成であっても良い。
【００２３】
入退室検知装置３０は、医療従事者や患者、見舞い客などの病室への入室および退室を検知する。具体的には、入隊室検知装置３０は、病室の出入口に設置された赤外線センサなどにより構成されており、物体の移動方向に対して照射した複数本の赤外線が遮断される順番により、入室および退室を検知している。また、入退室検知装置３０は、入室や退室を検知すると後述する識別情報読取装置４０を動作させる。また、入隊室検知装置３０は、入室を検知すると入室信号を入退室制御装置６０へ出力し、退室を検知すると退室信号を入退室制御装置６０へ出力する。なお、入退室の検知方法が上述した方法に限定されないことはもちろんである。
【００２４】
識別情報読取装置４０は、ＩＣタグ２０から識別情報を読み取るためのものである。また、識別情報読取装置４０は、入退室検知装置３０が入室や退室を検知することにより動作を開始し、近くに存在するＩＣタグ２０から識別情報を読み取る。なお、本実施形態では、識別情報読取装置４０は、近くに存在するＩＣタグ２０から識別情報を読み取るようにしているが、これに限定されない。例えば、医療従事者がＩＣタグ２０を識別情報読取装置４０に近付けることでＩＣタグ２０から識別情報を読み取るようにしても良い。
【００２５】
読み取り判定装置５０は、識別情報読取装置４０がＩＣタグ２０から識別情報を読み取ることができたか否かを判定する。また、識別情報読取装置４０がＩＣタグ２０から識別情報を読み取ることができたと読み取り判定装置５０にて判断した場合に、読み取り判定装置５０は、読み取った識別情報と読み取り判定装置５０が設置された病室を示す病室識別情報とをナースコール親機１０へ出力する。
【００２６】
ナースコール親機１０では、親機インターフェース１２が識別情報および病室識別情報を入力する。そして、親機制御部１１は、親機インターフェース１２が入力した識別情報および病室識別情報について識別情報記憶部１５を参照して、関連付けられているか否かを判定する。関連付けられていると親機制御部１１にて判断した場合には、親機制御部１１は入室を許可する信号を生成する。また、親機インターフェース１２は、親機制御部１１が生成した入室を許可する信号を読み取り判定装置５０に出力する。読み取り判定装置５０は、ナースコール親機１０から入室を許可する信号を入力すると、識別情報読取装置４０が読み取った識別情報が入室を許可された識別情報であると判断し、識別情報読取装置４０が読み取った識別情報が入室を許可された識別情報であることを示す結果信号を入退室制御装置６０へ出力する。
【００２７】
入退室制御装置６０は、入退室検知装置３０から入室信号および退室信号を入力する。また、入退室制御装置６０は、識別情報読取装置４０が読み取った識別情報が入室を許可された識別情報であることを示す結果信号を読み取り判定部５０から入力する。入退室制御装置６０は、入退室検知装置３０から入室信号を入力すると、入室時制御装置６０ａを動作させる。入室時制御装置６０ａは、読み取り判定装置５０から結果信号を入力していない場合に、識別情報読取装置４０が識別情報を読み取ることができなかったと読み取り判定装置５０が判断したか、識別情報読取装置４０が読み取った識別情報が病室への入室を許可された識別情報ではないと読み取り判定装置５０が判断したとして、ナースコール子機１を停止させる制御信号を生成する。ここで、制御信号には、入室した者の属性を示す属性情報が含まれるが、この属性情報は入室を許可されていない者であることを示すものである。そして、入室時制御装置６０ａは、病室に入室した者が居ることを示す提示信号を生成しナースコール親機１０へ出力する。
【００２８】
一方、入室時制御装置６０ａは、読み取り判定装置５０から結果信号を入力した場合に、識別情報読取装置４０が読み取った識別情報が病室への入室を許可された識別情報であると読み取り判定部５０が判断したとして、ナースコール子機１を停止させる制御信号を生成する。ここで、制御信号には、入室した者の属性を示す属性情報が含まれるが、この属性情報は入室を許可された者であることを示すものである。
【００２９】
また、入退室制御装置６０は、入退室検知装置３０から退室信号を入力すると、退室時制御装置６０ｂを動作させる。退室時制御装置６０ｂは、ナースコール子機１を再び動作させる制御信号を生成する。ここで、提示信号がナースコール親機１０へ出力されている場合には、退室時制御装置６０ｂは、入室時制御装置６０ａを制御して提示信号の出力を停止させる。
【００３０】
入退室制御装置６０から提示信号を入力したナースコール親機１０では、親機制御部１１が提示部１４を動作させる。ここで、入退室制御装置６０から提示信号の入力が停止した場合には、親機制御部１１は、提示部１４の動作を停止する。
【００３１】
このように、本実施形態では、医療従事者（入室が許可されている）と見舞い客などと病室内の患者とを区別することができる。図２に示すように、医療従事者および見舞い客は入室すると入退室検知装置３０により入室が検知される。一方、患者の場合、既に病室内に居るので入室は検知されない。また、医療従事者が携行するＩＣタグ２０に記録された識別情報は、識別情報読取装置４０により読み取られ、読み取られた識別情報は病室識別情報に関連付けて識別情報記憶部１５に記憶されている。一方、見舞い客および病室内の患者は、ＩＣタグ２０を携行していない。
【００３２】
入室が検知され、ＩＣタグ２０の識別情報が読み取られた場合、病室に医療従事者が入室したと判断され、ナースコール子機１の動作は停止し、ナースコール親機１０では報知部１３も提示部１４も動作しない。従って、医療従事者によりナースコール子機１のセンサ３が誤動作することは無くなる。また、入室が検知され、ＩＣタグ２０の識別情報が読み取られなかった場合、病室に見舞い客など（換言すると医療従事者以外の者）が入室したと判断され、ナースコール子機１の動作は停止し、ナースコール親機１０では提示部１４が動作する。従って、見舞い客によりナースコール子機１のセンサ３が誤動作することは無くなり、見舞い客が病室に入っている旨が提示部１４により提示される。
【００３３】
また、入室が検知されず、ＩＣタグ２０の識別情報も読み取られなかった場合、ナースコール子機１は動作し続ける。この状態で、センサ３が何らかの状況の変化を検出すると、ナースコール子機１の子機制御部２は呼出信号を生成し、ナースコール親機１０へ出力する。ナースコール親機１０では、報知部１３が動作する。従って、病室内の患者による呼び出しや病室内の患者の状態変化による警告を正確に報知することができる。
【００３４】
以上詳しく説明したように、本実施形態では、病室への入室を入退室検知装置３０が検知した場合に、識別情報読取装置４０は、医療従事者が持つＩＣタグ２０から識別情報を読み取る。そして、読み取り判定装置５０は、その識別情報が病室への入室を許可されたものであるかを判定し、入室を許可されたものであると判断したときには、ナースコール子機１の動作を停止するとともに、ナースコール親機１０の報知部１３による呼び出しや警告の報知を停止するようにしている。そして、病室からの退室を入退室検知装置３０が検知した場合に、呼び出しや警告の報知を再び行うことができるようにしている。
【００３５】
一方、病室への入室を入退室検知装置３０が検知した場合に、識別情報読取装置４０がＩＣタグ２０から識別情報を読み取れなかったり、読み取った識別情報が病室への入室を許可されたものでないと読み取り判定部５０にて判断したりしたときには、ナースコール子機１の動作を停止するとともに、ナースコール親機１０の報知部１３による呼び出しや警告の報知を停止するようにしている。さらに、病室へ入室した者が居ることを提示部１４にて提示するようにしている。そして、病室からの退室を入退室検知装置３０が検知した場合に、呼び出しや警告の報知を再び行うことができるようにしている。
【００３６】
また、病室への入室を入退室検知装置３０が検知せずに、ナースコール子機１のセンサ３が検知の動作を行った場合には、ナースコール親機１０の報知部１３により呼び出しや警告を報知するようにしている。
【００３７】
これにより、病室内で処置を行う医療従事者や見舞い客などが入室した場合には、ナースコール子機１の動作が停止して呼び出しや警告の報知が行われなくなるので、医療従事者や見舞い客がナースコール子機１のセンサ３を誤って動作させることがなくなり、誤報を防止することができる。また、ＩＣタグ２０を持っていない見舞い客などが入室した場合には、その旨が提示部１４に提示されるため、医療従事者の入室と見舞い客などの入室とが正確に区別される。また、入室が検知されずにナースコール子機１のセンサ３が動作した場合には、患者自身がナースコール子機１のセンサ３を動作させたと判断されるので、呼び出しや警告の報知が行われる。従って、医療従事者と患者自身と見舞い客などとを正確に区別してナースコール子機１を動作させることができる。また、医療従事者のみにＩＣタグ２０を持たせているので、ＩＣタグ２０の管理を容易に行うことができる。
【００３８】
なお、本実施形態では、ナースコール子機１の動作を停止することで、ナースコール親機１０の報知部１３による呼び出しや警告の報知が行われないようにしているが、これに限定されない。例えば、ナースコール親機１０の報知部１３の動作を停止することで実現するようにしても良い。
【００３９】
また、本実施形態では、入退室検知部３０により入室が検知され、識別情報読取装置４０によりＩＣタグ２０の識別情報が読み取られなかった場合に、見舞い客などが病室に居ることを提示部１４に提示させているだけであるが、これに限定されない。例えば、病室内の患者に対して面会が可能であるか面会謝絶であるかを示す面会情報を病室識別情報に関連付けて識別情報記憶部１５に記憶しておき、見舞い客などが病室に入室した場合に、面会が可能であるときには見舞い客などが病室に居ることを提示部１４に提示し、面会謝絶であるときには侵入者が居ることを報知部１３により報知したり、提示部１４により提示したりするようにしても良い。これにより、見舞い客と侵入者とを区別することができる。
【００４０】
その他、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【図面の簡単な説明】
【００４１】
【図１】本実施形態によるナースコールシステムの構成例を示すブロック図である。
【図２】本実施形態のナースコールシステムにおける入室者の種類による動作の例を示す図である。
【符号の説明】
【００４２】
１    ナースコール子機
２    子機制御部
３    センサ
４    子機インターフェース
１０    ナースコール親機
１１    親機制御部
１２    親機インターフェース
１３    報知部
１４    提示部
１５    識別情報記憶部
２０    ＩＣタグ
３０    入退室検知装置
４０    識別情報読取装置
５０    読み取り判定装置
６０    入退室制御装置
６０ａ    入室時制御装置
６０ｂ    退室時制御装置
【図１】
2010075582.tif 000003
【図２】
2010075582.tif 000004